(57)【要約】【課題】上階の床面と下階の床面との色が違ったとしても、全体として色彩に違和感のなく、上階の床面と下階の床面に対して調和性が確保される階段構造を提供する。【解決手段】階段構造１は、階段状に配置された複数の踏み板１１〜１７を少なくとも備え、上階と下階とを繋ぐものである。下階の床面３１は、第１の色を有し、上階の床面３２は、第１の色と異なる第２の色を有しており、複数の踏み板１１〜１７の少なくとも踏み面１１ａ〜１７ａにより構成される第１印刷領域には、下階から上階に進むに従って、第１の色から第２の色に近づくように、印刷により色が付されている。【選択図】図１
2019138140.tif 000002
【特許請求の範囲】
【請求項１】
階段状に配置された複数の踏み板を少なくとも備え、上階と下階とを繋ぐ階段構造であって、
前記下階の床面は、第１の色を有し、前記上階の床面は、第１の色と異なる第２の色を有しており、
前記複数の踏み板の少なくとも踏み面により構成される第１印刷領域には、前記下階から前記上階に進むに従って、前記第１の色から前記第２の色に近づくように、印刷により色が付されていることを特徴とする階段構造。
【請求項２】
前記各踏み板の踏み面には、前記下階の側から前記上階の側に向かって、連続して変化するように前記色が付されていることを特徴とする請求項１に記載の階段構造。
【請求項３】
前記各踏み板の踏み面には、単一の色が付されていることを特徴とする請求項１に記載の階段構造。
【請求項４】
前記階段構造は、前記各踏み板の裏面側に配置された蹴込み板をさらに備えており、
前記第１印刷領域は、前記複数の踏み板の踏み面、前記複数の踏み板の段鼻、および前記蹴込み板の前面により構成され、
前記第１印刷領域には、前記下階から前記上階に進むに従って、前記第１の色から前記第２の色に近づくように、印刷により色が付されていることを特徴とする請求項１〜３のいずれか一項に記載の階段構造。
【請求項５】
前記各踏み板の前記踏み面とは反対側の裏面は、視認可能に配置されており、
前記複数の踏み板の裏面により第２印刷領域が構成され、
前記第２印刷領域には、前記下階から前記上階に進むに従って、前記第１の色から前記第２の色に近づくように、印刷により色が付されていることを特徴とする請求項１〜３のいずれか一項に記載の階段構造。
【請求項６】
前記各踏み板の一対の側面のうちの少なくとも一方の側面は、視認可能に配置されており、
前記複数の踏み板の視認可能な側面により第３印刷領域が構成され、
前記第３印刷領域には、前記複数の踏み板の少なくとも踏み面により構成される前記第１印刷領域と同方向に前記第１の色から前記第２の色に近づくように、印刷により色が付されていることを特徴とする請求項１〜３のいずれか一項に記載の階段構造。
【発明の詳細な説明】
【技術分野】
【０００１】
本発明は、階段状に配置された複数の踏み板を少なくとも備え、上階と下階とを繋ぐ階段構造であって、少なくとも踏み面に色が付された階段構造に関する。
【背景技術】
【０００２】
住宅等の建物内に設置される階段構造として、階段状に配置された複数の踏み板および蹴込み板と、これらを左右で固定する側板とを備えた階段構造が知られている。具体的には、このような階段構造では、踏み面となる所要段数の踏み板が、水平姿勢で左右の側板間に上下および前後に所定間隔をあけて段状に差しわたされて取り付けられ、各踏み板間には蹴込み板が、配在されている。
【０００３】
このような階段構造では、階段の美観を高めるために、または、階段の踏み外しを防止するために、階段構造を構成する各踏み板の踏み面に、印刷により、色や模様が付されている（例えば、特許文献１または２参照）。
【先行技術文献】
【特許文献】
【０００４】
【特許文献１】特開２０１２−２６１４８号公報
【特許文献２】特開２００３−１９３６４７号公報
【発明の概要】
【発明が解決しようとする課題】
【０００５】
ところで、階段構造により繋がれた上階と下階の床面が異なる色を有する場合、これらの床面に対して階段構造の色を調和させるべく、すべての踏み板の踏み面に、上階と下階の床面のいずれかの色と同じ色（単一色）、または、これらの中間色（単一色）が、上述した印刷により、付されることがある。
【０００６】
しかしながら、たとえば、上階の床面と同じ色を、すべての踏み板の踏み面に付した場合、下階の床面と、これに近い踏み板の踏み面との色の違いにより、これらの表面の色彩に違和感がある。同様に、下階の床面と同じ色を、すべての踏み板の踏み面に付した場合にも、上階の床面と、これに近い踏み板の踏み面との色の違いにより、これらの表面の色彩に違和感がある。また、上階と下階の床面の色の中間色を、すべての踏み板の踏み面に付したとしても、やはり、上階および下階の床面の色と、踏み板の踏み面の中間色との違いが鮮明になるケースが多く、この場合であっても、これらの色の違いにより、これらの表面の色彩に違和感があることが多い。
【０００７】
本発明は、前記課題を鑑みてなされたものであり、上階の床面と下階の床面との色が違ったとしても、全体として色彩に違和感のなく、上階の床面と下階の床面に対して調和性が確保される階段構造を提供することにある。
【課題を解決するための手段】
【０００８】
前記課題を鑑みて、本発明に係る階段構造は、階段状に配置された複数の踏み板を少なくとも備え、上階と下階とを繋ぐ階段構造であって、前記下階の床面は、第１の色を有し、前記上階の床面は、第１の色と異なる第２の色を有しており、前記複数の踏み板の少なくとも踏み面により構成される第１印刷領域には、前記下階から前記上階に進むに従って、前記第１の色から前記第２の色に近づくように、印刷により色が付されていることを特徴とする。
【０００９】
本発明によれば、床面に第１の色を有した下階から、床面に第２の色を有した上階に、進むに従って、各段の踏み面の色が、第１の色から第２の色に近づくので、下階から上階まで、色彩に違和感のない階段構造となる。このような結果、下階の床面の第１の色と、上階の床面の第２の色とが違ったとしても、階段構造の色彩に違和感がなく、下階の床面と上階の床面に対して、階段構造の色彩により調和性が確保される。
【００１０】
ここで、本発明でいう「印刷領域」とは、印刷により色が付された領域のことである。また、本発明でいう「下階から上階に進むに従って、第１の色から第２の色に近づくように、印刷により色が付されている」とは、下階（上階）から上階（下階）に進むに従って、Ｌ＊、ａ＊、ｂ＊の値を単調に変化させることにより、上階（下階）の床面に対して印刷領域の色差△Ｅが小さくなるように、印刷により、印刷領域に色が付されていることをいう。この場合、ＣＩＥ１９７６表色系（ＪＩＳ  Ｚ  ８７２９）に規定されるＬ＊、ａ＊、およびｂ＊において、第１の色と第２の色が異なる色となるように、下階および上階の床面に対して、Ｌ＊、ａ＊、およびｂ＊の値が設定されていることを前提とする。なお、Ｌ＊は明度指数であり、ａ＊およびｂ＊は、クロマティクネス指数である。さらに、「第１の色から第２の色に近づくように色が付される」とは、たとえば、下階の床面の次の段の踏み板の踏み面に、第１の色を含む色が付されていてもよく、第１の色に近い、第１の色と第２の色の中間色が付されてもよい。
【００１１】
より好ましい態様としては、前記各踏み板の踏み面には、前記下階の側から前記上階の側に向かって、連続して変化するように前記色が付されている。この態様によれば、第１印刷領域の各段を構成する踏み面が、下階側（すなわち段鼻側）から上階側まで、その色が連続して変化しているので、第１印刷領域の全体が、下階から上階に進むに従って、色のグラデーションとなるように変化し、下階および上階の床面に対して調和の取れた階段構造となる。
【００１２】
別の好ましい態様としては、前記各踏み板の踏み面には、単一の色が付されている。この態様によれば、下階から上階の床面の色に応じて、第１印刷領域の色を変化させるので、下階および上階の床面に対して調和の取れた階段構造となる。さらに、上階から階段を見下ろした時には、各段の踏み板が連続して見えるところ、各踏み面は、それぞれ異なる単一の色が付されているので、上下の段に位置する（すなわち、平面視において隣接する）踏み板の踏み面の色の違いを、踏み面の段鼻側において視認することができる。これにより、各段の踏み板を視認しつつ、階段をより安全に下りることができる。
【００１３】
さらに好ましい態様としては、前記階段構造は、前記各踏み板の裏面側に配置された蹴込み板をさらに備えており、前記第１印刷領域は、前記複数の踏み板の踏み面、前記複数の踏み板の段鼻、および前記蹴込み板の前面により構成され、前記第１印刷領域には、前記下階から前記上階に進むに従って、前記第１の色から前記第２の色に近づくように、印刷により色が付されている。
【００１４】
この態様によれば、下階から上階に向かって、階段構造を見たときに、踏み板の踏み面、踏み板の段鼻、蹴込み板の前面が見えるところ、これらにより構成される第１印刷領域は、下階から上階に進むに従って、第１の色から第２の色に近づくように印刷されているので、下階の床面と上階の床面に対してさらに調和が取れた階段構造となる。なお、本発明でいう「踏み板の段鼻」とは、踏み板の前面（下階側から見て正面となる面）のことをいう。
【００１５】
別の好ましい態様としては、前記各踏み板の前記踏み面とは反対側の裏面は、視認可能に配置されており、前記複数の踏み板の裏面により第２印刷領域が構成され、前記第２印刷領域には、前記下階から前記上階に進むに従って、前記第１の色から前記第２の色に近づくように、印刷により色が付されている。
【００１６】
この態様によれば、複数の踏み板の裏面により構成される第２印刷領域には、下階から上階に進むに従って、第１の色から第２の色に近づくように色が付されているので、階段構造を裏側（下側）から見た際に、踏み板の裏面の色彩に違和感が生じることがない。また、下階の床面に対してさらに調和が取れた階段構造となる。
【００１７】
さらに別の好ましい態様としては、前記各踏み板の一対の側面のうちの少なくとも一方の側面は、視認可能に配置されており、前記複数の踏み板の視認可能な側面により第３印刷領域が構成され、前記第３印刷領域には、前記複数の踏み板の少なくとも踏み面により構成される前記第１印刷領域と同方向に前記第１の色から前記第２の色に近づくように、印刷により色が付されている。
【００１８】
この態様によれば、複数の踏み板の視認可能な側面により構成される第３印刷領域には、前記複数の踏み板の少なくとも踏み面により構成される前記第１印刷領域と同方向に第１の色から第２の色に近づくように色が付されているので、階段構造を側方から見た際に、踏み板の側面の色彩に違和感が生じることがない。また、下階の床面に対してさらに調和が取れた階段構造となる。
【発明の効果】
【００１９】
本発明の階段構造によれば、下階の床面と上階の床面との色が違ったとしても、全体として色彩に違和感のなく、下階の床面と上階の床面に対して、階段構造の色彩により調和性が確保される。
【図面の簡単な説明】
【００２０】
【図１】本発明の第１実施形態に係る階段構造の模式的斜視図である。
【図２】図１に示す階段構造の踏み板と蹴込み板との関係を示した模式的側面図である。
【図３】図１に示す階段構造の模式的平面図である。
【図４】図１に示す階段構造を下階から見た時の模式図である。
【図５】図１に示す階段構造を上階から見下ろした時の模式図である。
【図６】本発明の第２実施形態に係る階段構造の模式的斜視図である。
【図７】図６に示す階段構造を上階から見下ろした時の模式図である。
【図８】本発明の第３実施形態に係る階段構造の模式的斜視図である。
【図９】図８に示す階段構造を略平面視から見た模式図である。
【図１０】図８に示す階段構造を下階から見た時の模式図である。
【図１１】本発明の第４実施形態に係る階段構造の模式的斜視図である。
【図１２】本発明の第５実施形態に係る階段構造の模式的斜視図である。
【図１３】図１２に示す第５実施形態の階段構造の変形例の模式的斜視図であり、階段構造を上側から示す図である。
【図１４】図１３に示す階段構造を下側から示す模式的斜視図である。
【図１５】本発明の第１変形例の階段構造の模式的斜視図である。
【図１６】本発明の第２変形例の階段構造の模式的斜視図である。
【図１７】本発明の第３変形例の階段構造の模式的斜視図である。
【図１８】本発明の第４変形例の階段構造の模式的斜視図である。
【００２１】
以下、本発明のいくつかの実施形態を図面を参照しながら説明する。
【００２２】
〔第１実施形態〕
図１は、本発明の第１実施形態に係る階段構造１の模式的斜視図である。図２は、図１に示す階段構造１の踏み板１１〜１７と蹴込み板２１〜２７との関係を示した模式図である。図３は、図１に示す階段構造１の模式的平面図である。図４は、図１に示す階段構造１を下階から見た時の模式図である。図５は、図１に示す階段構造１を上階から見下ろした時の模式図である。
【００２３】
図１に示すように、階段構造（階段）１は、住宅等の建物内に設置されるものである。図１に示すように、本実施形態では、７段の段差により構成される階段構造１であるが、後述する色を付すことができるのであれば、その段数は特に限定されるものではない。例えば、本実施形態に係る階段構造１の段数が、一般的な住宅の階段の如く、１３〜１５段であってもよい。
【００２４】
図１および図２に示す階段構造１は、上階と下階とを繋ぐものであり、踏み板１１〜１７および蹴込み板２１〜２７と、これらを固定する一対の側板４１、４２と、を備えている。具体的には、各踏み板１１〜１７は、水平姿勢で左右の側板４１、４２の間に上下および前後に所定間隔をあけて段状に差しわたされて取り付けられ、上段の踏み板と下段の踏み板の間には蹴込み板が配在されている。蹴込み板２１〜２７も、左右の側板４１、４２の間に差しわたされるとともに、下段の踏み板の踏み面から上段の踏み板裏面まで上下方向に延在するように、取り付けられている。 
【００２５】
踏み板１１〜１７、蹴込み板２１〜２７、および側板４１、４２の材料は、後述するように、色を付す箇所の表面に、インクジェット印刷などの印刷を行うことができるのであれば、特に限定されるものではない。本実施形態では、これらの材料は、木質系材料からなり、木質系材料としては、無垢材、パーティクルボード（ＰＢ）、木質繊維板（インシュレーションボード・ハードボード、ＭＤＦなど）、配向性ストランドボード（ＯＳＢ）、ＬＶＬ、集成材、または、これらを積層したものなどを挙げることができ、これらの材料を基材として、その表面に化粧材が被覆されていてもよい。
【００２６】
化粧材の材料としては、印刷可能な表面を有した材料であれば特に限定されるものではなく、たとえば、熱可塑性樹脂などからなる樹脂シート、クラフト紙などの紙材、クラフト紙にメラミン樹脂が含浸された含浸紙、または木質系の化粧単板などを挙げることができる。化粧単板としては、たとえば、ビーチ、オーク、メイプル、ケヤキ、ウォールナット、シナ、ナラ、ヤチダモ、キリ、ヒノキ、スギ、マホガニー、チーク、ローズウッド、トチ、クロガキ、シオジ、ニレ、カバ、シタン、またはコクタンなどを挙げることができる。化粧単板である場合には、０．１〜１．０ｍｍ程度の突板などが用いられる。
【００２７】
本実施形態では、下階の床面３１は、第１の色を有し、上階の床面３２は、第１の色と異なる第２の色を有している。ここで、第１の色と第２の色とは、異なる色であり、ＣＩＥ１９７６表色系（ＪＩＳ  Ｚ  ８７２９）に規定されるＬ＊、ａ＊、ｂ＊において、色差△Ｅが、６以上であることが好ましく、より好ましくは１３以上であり、さらに好ましくは２６以上である。下階の床面３１の色と上階の床面３２の色の色差△Ｅが、このような範囲を満たすことにより、後述する階段構造１に付した色による効果をより期待することができる。
【００２８】
Ｌ＊、ａ＊、ｂ＊で規定される表色系において、Ｌ＊値は明度指数であって、大きいほど明るく、小さいほど暗い。ａ＊値は赤緑間の知覚色度（クロマティクネス）指数であって、この値が大きいほど赤みが強く、小さいほど緑みが強い。ｂ＊値は黄青間の知覚色度指数であって、大きいほど黄みが強く、小さいほど青みが強い。
【００２９】
たとえば、本実施形態では、その一例として、下階の床面３１の第１の色が、白色であり、上階の床面３２の第２の色が黒色である。したがって、上述した表色系で説明すると、第１の色は、Ｌ＊＝１００、ａ＊＝０、ｂ＊＝０、第２の色は、Ｌ＊＝０、ａ＊＝０、ｂ＊＝０等で表すことができ、第１の色と第２の色との色差△Ｅは、１００となる。
【００３０】
この他の例として、たとえば、下階の床面３１の第１の色が、深緑色であり、上階の床面３２の第２の色が紺青色である場合には、第１の色は、Ｌ＊＝３０、ａ＊＝−３０、ｂ＊＝１３、第２の色は、Ｌ＊＝１０、ａ＊＝９、ｂ＊＝−２４等で表すことができ、この場合も色差△Ｅは、５７となる。さらに、下階の床面３１の第１の色が、赤茶色であり、上階の床面３２の第２の色がこげ茶色である場合には、第１の色は、Ｌ＊＝３６、ａ＊＝４６、ｂ＊＝４９、第２の色は、Ｌ＊＝１８、ａ＊＝２５、ｂ＊＝１３等で表すことができ、この場合も色差△Ｅは、４５となる。
【００３１】
本実施形態では、踏み板１１〜１７の踏み面１１ａ〜１７ａにより構成される第１印刷領域には、下階から上階に進むに従って、第１の色から第２の色に近づくように、印刷により色が付されている。具体的には、各踏み板１１〜１７の踏み面１１ａ〜１７ａには、下階の側から上階の側に向かって、色（色彩）が連続して変化するように色が付されている。すなわち、この実施形態の場合には、階段構造の平面視において、踏み面１１ａ〜１７ａまでが１つの印刷領域として見え、この平面視において、第１印刷領域において、上述したように、連続して変化するように色が付されている。
【００３２】
例えば、上述したように、下階の床面３１の第１の色が白色であり、上階の床面３２の第２の色が黒色である場合には、踏み板１１の踏み面１１ａには、白色に近い灰色であり、かつ、踏み面１１ａの下階の側（段鼻１１ｂ側）から上階の側に向かってやや黒味が帯びるように灰色が変化した色が付されている。
【００３３】
上段に位置する踏み板１２の踏み面１２ａは、踏み板１１の踏み面１１ａに付された色よりも、黒味の帯びた灰色であり、かつ、踏み面１２ａの下階の側（段鼻１２ｂ側）から上階の側に向かってやや黒味が帯びるように、灰色が変化した色が付されている。
【００３４】
同様に、踏み板１３〜１７の踏み面１３ａ〜１７ａも、順次、その下段の踏み板の踏み面に付された色よりも黒味の帯びた灰色であり、かつ、踏み面１３ａ〜１７ａの下階の側（段鼻側）から上階の側に向かって、やや黒味が帯びるように、灰色が変化した色が付されている。
【００３５】
本実施形態では、上述した如く、第１の色は、Ｌ＊＝１００、ａ＊＝０、ｂ＊＝０、第２の色は、Ｌ＊＝０、ａ＊＝０、ｂ＊＝０であり、色差△Ｅは、１００である。したがって、踏み板１１〜１７の踏み面１１ａ〜１７ａにより構成される第１印刷領域に付された色では、下階から上階に進むに従って、Ｌ＊の値が、１００から０に単調減少しながら連続して変化している。この結果、下階の床面３１と上階の床面３２との色差△Ｅに比べて、これらの間に位置する各踏み板１１〜１７の踏み面１１ａ〜１７ａと、床面３１、３２との色差△Ｅが小さく、踏み面１１ａ〜１７ａの色は、下階の床面３１の第１の色と上階の床面３２の第２の色との中間色になる。さらに、各段とその次の段の踏み板同士の踏み面の色差△Ｅも、第１の色および第２の色の色差△Ｅより小さくなり、踏み板１１ａ〜１７ａの色は、下階から上階に進むに従って、上階の床面３２の第２の色に近づき、逆に、上階から下階に進むに従って、下階の床面３１の第１の色に近づく。
【００３６】
なお、踏み面１１ａ〜１７ａのａ＊、ｂ＊の値は、略同じで変化がない、または、変化があったとしても、目視では、これらのパラメータによる色の変化がほとんど視認できない程度である。
【００３７】
なお、上に例示した如く、下階の床面３１の第１の色が深緑色であり、上階の床面３２の第２の色が紺青色である場合など、異なる有彩色である場合には、踏み板１１〜１７の踏み面１１ａ〜１７ａにより構成される第１印刷領域に付された色は、下階から上階に進むに従って、第１の色のＬ＊、ａ＊、ｂ＊の値から、第２の色のＬ＊、ａ＊、ｂ＊の値に近づくように、Ｌ＊、ａ＊、ｂ＊の各値が、連続して単調減少または単調増加するように変化している。なお、下階の床面３１の第１の色が赤茶色であり、上階の床面３２の第２の色がこげ茶色である場合も、同様に、下階から上階に進むに従って、第１の色のＬ＊、ａ＊、ｂ＊の値から、第２の色のＬ＊、ａ＊、ｂ＊の値に近づくように、Ｌ＊、ａ＊、ｂ＊の各値が、連続して単調減少または単調増加するように変化している。この結果、下階の床面３１と上階の床面３２との色差△Ｅに比べて、これらの間に位置する各踏み板１１〜１７の踏み面１１ａ〜１７ａと、床面３１、３２との色差△Ｅが小さく、踏み面１１ａ〜１７ａの色は、下階の床面３１の第１の色と上階の床面３２の第２の色との中間色になる。さらに、各段とその次の段の踏み板同士の踏み面の色差△Ｅも、第１の色および第２の色の色差△Ｅより小さくなり、踏み板１１ａ〜１７ａの色は、下階から上階に進むに従って、上階の床面３２の第２の色に近づき、逆に、上階から下階に進むに従って、下階の床面３１の第１の色に近づく。
【００３８】
このようにして、図３に示すように、平面視において、踏み板１１〜１７の踏み面１１ａ〜１７ａを構成する第１印刷領域には、下階から上階に進むに従って、第１の色から第２の色に近づくように、連続して変化した色が付されることになる。
【００３９】
各踏み板１１〜１７の踏み面１１ａ〜１７ａには、上述した色が、印刷により、均一に付されていてもよく、例えば、木目模様などの模様とともに上述した色が、印刷により付されていてもよい。さらに、上述した色が付された踏み面１１ａ〜１７ａに、光透過性樹脂からなる保護層がさらに形成されていてもよい。
【００４０】
本実施形態では、各踏み板１１〜１７の踏み面１１ａ〜１７ａに対して、紫外線硬化型のインクを、未硬化の状態でインクジェット印刷により粒状に付着させて、上述した色を第１印刷領域に付す。本実施形態では、インクジェット印刷を行うことにより、たとえば、ロールコータによる着色、スプレー塗装による着色などに比べて、極めて簡単に、上述した色を第１印刷領域に付すことができる。
【００４１】
具体的には、インクジェット印刷に使用される紫外線硬化型のインクは、反応性オリゴマーまたは反応性モノマーに光重合開始剤が添加された紫外線硬化型樹脂と、着色剤とを少なくとも含む。たとえばイエロー、マゼンダ、シアン、およびブラックの４色の着色剤を、前記紫外線硬化型樹脂に個別に含有した４種のインクを準備し、これらのインクを用いて、各踏み面１１ａ〜１７ａに印刷し、踏み面１１ａ〜１７ａに上述した色を付す。
【００４２】
各踏み面１１ａ〜１７ａからなる第１印刷領域の印刷は以下のようにして行うことができる。まず、予め第１の色から第２の色まで色が変化したグラデーションの画像を準備する。この画像を、各踏み面１１ａ〜１７ａに応じて分割する。分割した画像を順に、踏み面１１ａ〜１７ａに割り当て、割り当てられた画像に応じて、インクジェット印刷により各踏み面１１ａ〜１７ａに対して印刷を行う。
【００４３】
インクジェット印刷はインクジェットプリンタにより行われる。インクジェットプリンタは、一般的な印刷に用いられるインクを収容し、印刷すべき木目模様等の所定の模様および色に合わせて各インクを個別に噴射するヘッドと、踏み板１１〜１７を送るフィーダとを備えている。また、この他にも、踏み板１１〜１７を吸着固定し、ヘッドのみを移動させて印刷を行ってもよい。
【００４４】
インクジェットプリンタは、各踏み板１１〜１７の踏み面１１ａ〜１７ａに対して略直交した方向からヘッドで噴射しながら、フィーダで各踏み板１１〜１７を所定方向に送り、踏み面１１ａ〜１７ａに上述した色を付し、これにより、未硬化の印刷層（図示せず）を得る。未硬化の印刷層に対して、紫外線を照射することにより、印刷層を硬化させる。必要に応じて、印刷層を保護すべく、印刷層の表面に光透過性樹脂を塗装してもよく、光透過性樹脂からなるシート材をラミネートしてもよい。
【００４５】
本実施形態では、紫外線硬化型のインクを用いたが、踏み面１１ａ〜１７ａの色を保持することができるのであれば、水性系インク、溶剤系インク、またはラテックス系インクなどであってもよい。
【００４６】
本実施形態によれば、図４および図５に示すように、床面３１に第１の色を有した下階から、床面３２に第２の色を有した上階に進むに従って、各段の踏み面１１ａ〜１７ａの色が、第１の色から第２の色に近づくので、下階から上階まで、色彩に違和感のない印刷領域となる。このような結果、下階の床面３１と上階の床面３２との色が違ったとしても、階段構造１の全体として色彩に違和感のなく、下階の床面３１と上階の床面３２に対して、階段構造１の色彩により調和性が確保される。
【００４７】
また、第１印刷領域の各段を構成する踏み面１１ａ〜１７ａでは、下階側（すなわち段鼻１１ｂ〜１７ｂ側）から上階側まで、その色が連続して変化しているので、第１印刷領域の全体が、下階から上階に進むに従って、色のグラデーションとなるように変化する。この結果、下階および上階の床面３１、３２に対して調和の取れた階段構造となる。
【００４８】
〔第２実施形態〕
図６は、本発明の第２実施形態に係る階段構造１の模式的斜視図である。図７は、図６に示す階段構造を上階から見下ろした時の模式図である。第２実施形態に係る階段構造１が、第１実施形態のものと相違する点は、踏み面１１ａ〜１７ａの配色である。したがって、本実施形態では、この相違点を主に説明し、他の構成の説明は省略する。
【００４９】
本実施形態では、踏み板１１〜１７の踏み面１１ａ〜１７ａにより構成される第１印刷領域には、下階から上階に進むに従って、第１の色から第２の色に近づくように、印刷により色が付されている。この点は、第１実施形態と同じである。しかしながら、第２実施形態では、各踏み板１１〜１７の踏み面１１ａ〜１７ａには、単一の色が均一に付されている。
【００５０】
具体的には、本実施形態で、その一例として、下階の床面３１の第１の色が白色であり、上階の床面３２の第２の色が黒色である。したがって、踏み板１１の踏み面１１ａは、白色に近い灰色であり、踏み面１１ａの全体には、色に変化が無く、この単一色の灰色が均一に付されている。
【００５１】
上段に位置する踏み板１２の踏み面１２ａは、踏み板１１の踏み面１１ａに付された色（灰色）よりも、黒味の帯びた灰色であり、かつ、踏み面１２ａの全体には、色に変化が無く、この単一色の灰色が均一に付されている。
【００５２】
同様に、踏み板１３〜１７の踏み面１３ａ〜１７ａも、順次、その下段の踏み板の踏み面に付された色よりも黒味の帯びた灰色であり、かつ、各踏み面１３ａ〜１７ａの全体には、色に変化の無いこの単一色の灰色が均一に付されている。
【００５３】
本実施形態では、上述した如く、第１の色は、Ｌ＊＝１００、ａ＊＝０、ｂ＊＝０、第２の色は、Ｌ＊＝０、ａ＊＝０、ｂ＊＝０であり、色差△Ｅは、１００である。したがって、踏み板１１〜１７の踏み面１１ａ〜１７ａにより構成される第１印刷領域に付された色は、下階から上階に進むに従って、各踏み面１１ａ〜１７ａ毎に、順次、Ｌ＊の値が、一定の値で小さくなるように変化している。例えば、踏み板１１〜１７毎に、各段と次の段の踏み板の踏み面の色差△Ｅが一定の値を確保するように、これらの踏み面１１ａ〜１７ａに色付してもよい。この結果、各踏み板１１〜１７の踏み面１１ａ〜１７ａは、７つの単一色により、下階から上階に向かって変化した色が付され、下階の床面３１と上階の床面３２との色差△Ｅに比べて、これらの間に位置する各踏み板１１〜１７の踏み面１１ａ〜１７ａと、床面３１、３２との色差△Ｅが小さく、踏み面１１ａ〜１７ａの色は、床面３１の第１の色と床面３２の第２の色との中間色になる。さらに、各段とその次の段の踏み板同士の踏み面の色差△Ｅも、第１の色および第２の色の色差△Ｅよりも小さくなり、踏み板１１ａ〜１７ａの色は、下階から上階に進むに従って、上階の床面３２の第２の色に近づき、逆に、上階から下階に進むに従って、下階の床面３１の第１の色に近づく。
【００５４】
なお、本実施形態では、踏み面１１ａ〜１７ａのａ＊、ｂ＊の値は、略同じで変化がない、または、変化があったとしても、目視では、これらのパラメータによる色の変化がほとんど視認できない程度である。
【００５５】
なお、上に例示した如く、下階の床面３１の第１の色が、深緑色であり、上階の床面３２の第２の色が紺青色である場合、または、下階の床面３１の第１の色が、赤茶色であり、上階の床面３２の第２の色がこげ茶色である場合、など、第１および第２の色が異なる有彩色である場合、踏み板１１〜１７の踏み面１１ａ〜１７ａにより構成される第１印刷領域に付された色は、下階から上階に進むに従って、第１の色のＬ＊、ａ＊、ｂ＊の各値から、第２の色のＬ＊、ａ＊、ｂ＊の各値に近づくように、各踏み面１３ａ〜１７ａ毎に、順次、Ｌ＊、ａ＊、ｂ＊の値が、一定の値で、単調減少または単調増加するように変化している。この結果、各踏み板１１〜１７の踏み面１１ａ〜１７ａは、７つの単一色により、連続的に変化した有彩色が付され、踏み板１１ａ〜１７ａの色は、下階から上階に進むに従って、上階の床面３２の第２の色に近づき、逆に、上階から下階に進むに従って、下階の床面３１の第１の色に近づく。
【００５６】
本実施形態によれば、下階から上階の床面３１、３２の色に応じて、踏み面１１ａ〜１７ａで構成される第１印刷領域の色を変化させたので、下階および上階の床面３１、３２に対して調和の取れた階段構造となる。さらに、図７に示すように、上階から階段を見下ろした時には、各段の踏み板１１〜１７の踏み面１１ａ〜１７ａが連続しているように見える。このような場合であっても、各踏み面１１ａ〜１７ａは、単一の色が付されているので、各段とその次の段（具体的には下段）との踏み板の踏み面の色の違いを、踏み面１１ａ〜１６ａの段鼻１１ｂ〜１７ｂ側において視認することができる。これにより、各段の踏み板１１〜１７を視認しつつ、階段をより安全に下りることができる。
【００５７】
なお、第１および第２実施形態では、蹴込み板２１〜２７を設けたが、これらを省略してもよい。さらに、第１実施形態では、側板４１、４２には、印刷により色を付していないが、側板４１、４２の表面にも、下階から上階に向かって、第１の色から第２の色に近づくように、連続して変化するように色が付されていてもよい。
【００５８】
〔第３実施形態〕
図８は、本発明の第３実施形態に係る階段構造１の模式的斜視図である。図９は、図８に示す階段構造１を略平面視から見た模式図である。図１０は、図８に示す階段構造を下階から見た時の模式図である。第３実施形態に係る階段構造１が、第１実施形態のものと相違する点は、踏み板の段鼻、蹴込み板、および側板にも、さらに色が付されている点である。したがって、本実施形態では、この相違点を主に説明し、他の構成の説明は省略する。
【００５９】
本実施形態では、印刷により色が付される第１印刷領域は、複数の踏み板１１〜１７の踏み面１１ａ〜１７ａ、これらの段鼻１１ｂ〜１７ｂ、蹴込み板２１〜２７の前面２１ａ〜２７ａ、および、側板４１、４２の表面により構成されている。したがって、本実施形態では、第１印刷領域は、下階から階段構造１を見たとき、および、上階から階段構造１を見下ろしたときに、視認できるすべての領域である。
【００６０】
図８に示すように、第１印刷領域には、下階から上階に進むに従って、第１の色から第２の色に近づくように、印刷により色が付されている。具体的には、第１印刷領域には、下階の側から上階側に向かって、連続して変化するよう色が付されている。すなわち、複数の踏み板１１〜１７の踏み面１１ａ〜１７ａ、これらの段鼻１１ｂ〜１７ｂ、蹴込み板２１〜２７の前面２１ａ〜２７ａにより、構成される１つの領域には、下階から上階に向かうこれらの表面に沿って、第１の色から第２の色に近づくように、連続して変化した色が付されている。また、側板４１、４２の表面にも、下階から上階に向かって、第１の色から第２の色に近づくように、連続して変化した色が付されている。なお、連続して変化した色の配色は、第１実施形態で説明した色の配色と同様であるので、詳細な説明は省略する。
【００６１】
本実施形態では、階段構造１の視認可能な領域である第１印刷領域の全体において、下階から上階に進むに従って、グラデーションとなるように色が変化しているので、下階および上階の床面３１、３２に対して調和の取れた階段構造となる。
【００６２】
なお、本実施形態では、側板４１、４２の表面も、第１印刷領域の一部として、色が付されていたが、複数の踏み板１１〜１７の踏み面１１ａ〜１７ａ、これらの段鼻１１ｂ〜１７ｂ、および蹴込み板２１〜２７の前面２１ａ〜２７ａを、第１印刷領域として、これらの表面に色が付されていれば、側板４１、４２の表面には印刷により色が付されていなくてもよい。
【００６３】
〔第４実施形態〕
図１１は、本発明の第４実施形態に係る階段構造の模式的斜視図である。第４実施形態が、第３実施形態のものと相違する点は、踏み板の踏み面、段鼻、蹴込み板の前面の配色と、側板に色が付されていない点である。したがって、本実施形態では、この相違点を主に説明し、他の構成の説明は省略する。
【００６４】
本実施形態では、印刷により色が付された第１印刷領域は、複数の踏み板１１〜１７の踏み面１１ａ〜１７ａ、これらの段鼻１１ｂ〜１７ｂ、および、蹴込み板２１〜２７の前面２１ａ〜２７ａにより構成されている。
【００６５】
図１１に示すように、第１印刷領域には、下階から上階に進むに従って、第１の色から第２の色に近づくように、印刷により色が付されている。具体的には、各踏み板１１〜１７の踏み面１１ａ〜１７ａ、段鼻１１ｂ〜１７ｂ、および蹴込み板２１〜２７の前面２１ａ〜２７ａには、それぞれ単一の色が均一に付されている。
【００６６】
本実施形態では、同じ段（第１段）を構成する踏み板１１の踏み面１１ａ、段鼻１１ｂ、および蹴込み板２１の前面２１ａには、同じ単一の色が付されている。同様に、同じ段（第２段）を構成する踏み板１２の踏み面１２ａ、段鼻１２ｂ、および蹴込み板２２の前面２２ａには、同じ単一の色が付されている。同様に、複数の踏み板１３〜１７の踏み面１３ａ〜１７ａ、これらの段鼻１３ｂ〜１７ｂ、蹴込み板２３〜２７の前面２３ａ〜２７ａの同じ段のこれらの表面にも、それぞれ同じ単一の色が付されている。なお、変化した単一色の配色は、第２実施形態で説明した色の配色と同様である。
【００６７】
本実施形態では、階段構造１の踏み板１１〜１７と蹴込み板２１〜２７の視認可能な第１印刷領域の全体において、下階から上階に進むに従って、グラデーションとなるように色が変化しているので、下階および上階の床面３１、３２に対して調和の取れた階段構造となる。
【００６８】
さらに、本実施形態でも、第２実施形態と同様に、各踏み面１１ａ〜１７ａは、単一の色が付されているので、平面視において隣接する踏み板の踏み面の色の違いを、踏み面１１ａ〜１７ａの段鼻１１ｂ〜１７ｂ側において視認することができる。これにより、各段の踏み板１１〜１７を視認しつつ、階段をより安全に下りることができる。
【００６９】
〔第５実施形態〕
図１２は、本発明の第５実施形態に係る階段構造の模式的斜視図である。図１３は、図１２に示す第５実施形態の階段構造の変形例の模式的斜視図であり、階段構造を上側から示す図である。図１４は、図１３に示す階段構造を下側から示す模式的斜視図である。第５実施形態に係る階段構造１が、第１実施形態のものと相違する点は、一対の側板４１、４２および蹴込み板２１〜２７が設けられていない点である。したがって、本実施形態では、この相違点を主に説明し、他の構成の説明は省略する。なお、本実施形態では、８段の段差により階段構造が構成されている。
【００７０】
本実施形態では図１２に示すように、階段構造１には一対の側板４１、４２および蹴込み板２１〜２７が設けられていない。本実施形態の階段構造１は、いわゆる片持ち階段であり、各踏み板１１〜１８は、長手方向（階段幅方向）の一方端が壁５０に支持されている。より具体的には、各踏み板１１〜１８の一方端は、壁５０内に設けられた支持体（図示せず）に固定されている。
【００７１】
本実施形態では、上記第１実施形態と同様、踏み板１１〜１８の踏み面１１ａ〜１８ａにより構成される第１印刷領域には、下階から上階に進むに従って、第１の色から第２の色に近づくように、印刷により色が付されている。これにより、下階から上階まで、色彩に違和感のない印刷領域となる。また、上記第１実施形態と同様、下階の床面３１と上階の床面３２との色が違ったとしても、階段構造１の全体として色彩に違和感がなく、下階の床面３１と上階の床面３２に対して、階段構造１の色彩により調和性が確保される。
【００７２】
なお、一対の側板４１、４２を設けない場合、図１２に示したように各踏み板１１〜１８の側面１１ｅ〜１８ｅ及び裏面（踏み面１１ａ〜１８ａとは反対側の面）は、視認可能となる。
【００７３】
そこで、図１３および図１４に示す変形例のように、踏み板１１〜１８の視認可能な側面１１ｅ〜１８ｅにより構成される第３印刷領域には、複数の踏み板１１〜１８により構成される第１印刷領域と同方向に第１の色から第２の色に近づくように色が付されている。
【００７４】
このように、本実施形態では、踏み板１１〜１８の視認可能な側面１１ｅ〜１８ｅにより構成される第３印刷領域には、第１領域と同方向に第１の色から第２の色に近づくように色が付されているので、階段構造１を側方から見た際に、踏み板１１〜１８の側面１１ｅ〜１８ｅの色彩に違和感が生じることがない。また、下階の床面３１に対してさらに調和が取れた階段構造１となる。
【００７５】
また、図１４に示すように、踏み板１１〜１８の裏面１１ｆ〜１８ｆにより構成される第２印刷領域には、下階から上階に進むに従って、第１の色から第２の色に近づくように色が付されている。
【００７６】
このように、本実施形態では、各踏み板１１〜１８の裏面１１ｆ〜１８ｆにより構成される第２印刷領域には、下階から上階に進むに従って、第１の色から第２の色に近づくように色が付されているので、階段構造１を裏側（下側）から見た際に、踏み板１１〜１８の裏面１１ｆ〜１８ｆの色彩に違和感が生じることがない。また、下階の床面３１に対してさらに調和が取れた階段構造１となる。
【００７７】
また、踏み板１１〜１８の後面（段鼻とは反対側の面）１１ｇ〜１８ｇにより構成される印刷領域には、下階から上階に進むに従って、第１の色から第２の色に近づくように色が付されている。これにより、階段構造１を裏側（下側）から見た際に、踏み板１１〜１８の後面１１ｇ〜１８ｇの色彩に違和感が生じることがない。また、下階の床面３１に対してさらに調和が取れた階段構造１となる。
【００７８】
なお、各踏み板１１〜１８において、側面１１ｅ〜１８ｅ、裏面１１ｆ〜１８ｆおよび後面１１ｇ〜１８ｇには、踏み面１１ａ〜１８ａと同じ色が付されている。これにより、各踏み板１１〜１８の色彩に統一感を持たせることができる。
【００７９】
以上、本発明の実施形態について詳述したが、本発明は、前記の実施形態に限定されるものではなく、特許請求の範囲に記載された本発明の精神を逸脱しない範囲で、種々の設計変更を行うことができるものである。
【００８０】
たとえば、第１実施形態および第３実施形態の各踏み面を合わせた第１印刷領域には、連続して色を変化させたが、たとえば、踏み面の段鼻側の部分に、踏み板の幅方向に沿って、これらの色と異なる滑り止め部材を設けてもよく、これらの色と異なる色を付してもよい。これにより、踏み面の段鼻側において視認することができる。
【００８１】
さらに、第３および第４実施形態において、踏み板の裏面のうち、段鼻から下段の蹴込み板までの表面に、接続された蹴込み板に付された色と同じ色が、付されていてもよい。
【００８２】
第４施形態では、同じ段を構成する、踏み板の踏み面、段鼻、および蹴込み板の前面に対して、同じ単一の色を付したが、たとえば、同じ段を構成する、踏み板の段鼻および蹴込み板の前面を同じ単一色にし、同じ段を構成する踏み板の踏み面を、これとは異なる単一色にしてもよい。この他にも、第４実施形態において、同じ段を構成する踏み板の段鼻と蹴込み板の前面に、第３実施形態の如く、連続的に変化した色を付してもよく、同じ段を構成する踏み面のみに、連続的に変化した色を付してもよい。
【００８３】
また、第５実施形態では、側板４１、４２が設けられていない階段構造１として、片持ち階段を例にして説明したが、本発明はこれに限らない。例えば、図１５に示す本発明の第１変形例の階段構造１のように、踏み板１１〜１５と、踏み板１１〜１５を支持する一対のササラ桁６１、６２と、を含むササラ桁階段であってもよい。また、図１６に示す本発明の第２変形例の階段構造１のように、踏み板１１〜１５と、踏み板１１〜１５を支持する力桁６３と、を含む力桁階段であってもよい。また、図１７に示す本発明の第３変形例の階段構造１のように、円弧状の踏み板１１〜２０と、踏み板１１〜２０を支持する支柱６４と、を含む螺旋階段であってもよい。また、図１８に示す本発明の第４変形例の階段構造１のように、片持ち階段を構成する各踏み板１１〜１９の壁５０とは反対側の端部を吊り材６５によって支持する吊り階段であってもよい。また、図示しないが、踏み板の下に引き出し等の箱型の収納部を備えた箱階段であってもよい。
【００８４】
また、第５実施形態では、各踏み板１１〜１８の一方の側面１１ｅ〜１８ｅのみが視認可能となっているため、一方の側面１１ｅ〜１８ｅのみに色を付す例について説明したが、本発明はこれに限らない。例えば、図１５または図１６に示した階段構造１のように各踏み板１１〜１８の両方の側面が視認可能となっている場合には、各踏み板１１〜１８の両方の側面に色を付していることが好ましい。すなわち、各踏み板の６面（踏み面、裏面、段鼻、後面、一対の側面）の全てが、印刷により配色されていてもよい。
【００８５】
また、第１〜第４実施形態では、階段構造１に蹴込み板２１〜２７を設ける例について示したが、本発明はこれに限らない。側桁４１、４２を備えた階段構造１に蹴込み板２１〜２７を設けなくてもよい。
【００８６】
逆に、第５実施形態および図１５〜図１８の変形例において、蹴込み板が設けられていてもよい。この場合、蹴込み板の側面および後面（上段側の面）は、視認可能となる。このため、蹴込み板の側面および後面も、例えば蹴込み板の前面と同様に配色されていてもよい。
【００８７】
また、上述した実施形態および変形例の構成を適宜組み合わせて得られる構成についても、本発明の技術的範囲に含まれる。
【符号の説明】
【００８８】
１：階段構造、１１〜２０：踏み板、１１ａ〜１８ａ：踏み面、１１ｂ〜１８ｂ：段鼻、２１〜２７：蹴込み板、２１ａ〜２７ａ：蹴込み板２１〜２７の前面、３１，３２：床面、４１，４２：側板
【図１】
2019138140.tif 000003
【図２】
2019138140.tif 000004
【図３】
2019138140.tif 000005
【図４】
2019138140.tif 000006
【図５】
2019138140.tif 000007
【図６】
2019138140.tif 000008
【図７】
2019138140.tif 000009
【図８】
2019138140.tif 000010
【図９】
2019138140.tif 000011
【図１０】
2019138140.tif 000012
【図１１】
2019138140.tif 000013
【図１２】
2019138140.tif 000014
【図１３】
2019138140.tif 000015
【図１４】
2019138140.tif 000016
【図１５】
2019138140.tif 000017
【図１６】
2019138140.tif 000018
【図１７】
2019138140.tif 000019
【図１８】
2019138140.tif 000020